(57)【要約】【課題】本発明は、無端ベルトと交換するための予備ベルトを容易に保持しておき、予備ベルトへ交換する時には、予備ベルトを容易に取り外して回転駆動軸及びローラに掛けることができ、しかも、予備ベルトを保持する位置が限定されないベルトホルダ及びベルト保持方法を提供することを目的とする。【解決手段】本発明のベルトホルダ１０を、フレーム１２に取り付けられる取付部２４と、予備ベルト２１を、回転駆動軸１８が予備ベルト２１に貫通する状態で保持する保持部２６（１）及び２６（２）と、取付部２４から保持部２６（１）及び２６（２）まで延びる腕部２８と、を備えて構成した。【選択図】図１
2012218893.tif 000002
【特許請求の範囲】
【請求項１】
平面視において互いに平行に延びる少なくとも２本のフレームと、該２本のフレームに両端部が支持され該フレームに沿って複数本配設されたローラと、前記フレームに沿って延びる回転駆動軸と、該回転駆動軸及び該ローラに掛けられ該回転駆動軸から該ローラへ回転運動を伝達する無端ベルトと、を備えた駆動ローラコンベヤに取り付けられ、該無端ベルトと交換する予備ベルトを保持するベルトホルダであり、
前記フレームに取り付けられる取付部と、
前記予備ベルトを、前記回転駆動軸が該予備ベルトに貫通する状態で保持する保持部と、
前記取付部から前記保持部まで延びる腕部と、
を備えたベルトホルダ。
【請求項２】
前記保持部を複数個備え、前記フレームに取り付けた時に、該複数個の保持部が、前記回転駆動軸の周辺において、該回転駆動軸の外円周方向に沿って配置される構成である請求項１に記載するベルトホルダ。
【請求項３】
前記フレームに取り付けた時に、前記複数個の保持部が、前記回転駆動軸に垂直な断面視において、該回転駆動軸の上方及び側方に配置される構成である請求項２に記載するベルトホルダ。
【請求項４】
前記フレームに取り付けた時に、リング状の予備ベルトが、前記回転駆動軸の周辺において、該回転駆動軸の外円周方向に沿う方向で保持され、該予備ベルトが前記回転駆動軸に接触しない構成である請求項３に記載するベルトホルダ。
【請求項５】
前記保持部が、前記予備ベルトの一部を弾性的に嵌入することにより該予備ベルトを挟持する溝から構成された請求項１〜請求項４のいずれかに記載するベルトホルダ。
【請求項６】
前記フレームに着脱可能に取り付けられる請求項１〜請求項５のいずれかに記載するベルトホルダ。
【請求項７】
請求項１〜請求項６のいずれかに記載するベルトホルダを使用したベルト保持方法であり、
前記回転駆動軸が前記予備ベルトに貫通する状態で、該予備ベルトを該ベルトホルダに取り付けることにより、該ベルトホルダが、該予備ベルトを、該回転駆動軸が該予備ベルトに貫通する状態で保持するベルト保持方法。
【請求項８】
前記ベルトホルダが、前記ローラの両端部が前記フレームに着脱可能に支持されている前記駆動ローラコンベヤに取り付けられる請求項７に記載するベルト保持方法。
【請求項９】
一の前記ベルトホルダが、一の前記ローラの近辺の該ローラに干渉しない位置に、一のローラに対して一個ずつ取り付けられる請求項７又は請求項８に記載するベルト保持方法。
【発明の詳細な説明】
【技術分野】
【０００１】
本発明は、駆動ローラコンベヤに用いられる無端ベルトと交換する予備ベルトを保持するベルトホルダ及びベルト保持方法に関する。
【背景技術】
【０００２】
従来から、搬送対象物を搬送するために、駆動ローラコンベヤが使用されている。例えば、図８に示す駆動ローラコンベヤ１は、平面視において互いに平行に延びる２本のフレーム２と、２本のフレーム２に両端部３が支持されフレーム２に沿って複数本配設されたローラ４と、フレーム２に沿って延びる回転駆動軸５と、回転駆動軸５及びローラ４に掛けられ回転駆動軸５からローラ４へ回転運動を伝達する無端ベルト６と、回転駆動軸５を回転駆動させる図示しない駆動手段と、を備えている。
【０００３】
無端ベルト６は、例えば図９に示すように、回転駆動軸５が有するプーリ７及びローラ４が有する溝８に掛けられることにより、回転駆動軸５からローラ４へ回転運動を伝達する。無端ベルト６は、ウレタンから形成され、円形断面を有するが、消耗品であるため、無端ベルト６と交換する予備ベルト９を駆動ローラコンベヤ１に備え付けておくことが慣例となっている。従来、図９に示すように、予備ベルト９は、回転駆動軸５を貫通させた状態で、回転駆動軸５にインシュロック１００を用いて括り付けていた。このため、予備ベルト９を括り付ける作業及び取り外す作業に手間がかかることとなっていた。また、予備ベルト９を括り付ける部分が回転駆動軸５におけるプーリ７の設けられていない部分に限定されることによって、予備ベルト９を括り付けた部分が、予備ベルト９へ交換するローラ４から遠い場合には、予備ベルト９を括り付けた部分から予備ベルト９へ交換するローラ４までの経路に位置する損傷していない無端ベルト６を全て一旦取り外す必要があり、交換作業が困難になることがあった。
【０００４】
ここで、駆動ローラコンベヤについての予備ベルトへの交換に関する案出がなされ出願されている（特許文献１及び特許文献２を参照。）。例えば、特許文献１には、駆動軸１４に取り付けた予備ベルト装着体２６に予備ベルト２７を装着しておくコンベヤ装置について記載されている。しかし、このコンベヤ装置の場合においても、予備ベルト２７を装着した予備ベルト装着体２６が、予備ベルト２７へ交換するローラ２１から遠い場合には、予備ベルト２７を装着した予備ベルト装着体２６から予備ベルト２７へ交換するローラ２１までの経路に位置する損傷していない無端ベルト２５を全て一旦取り外す必要があり、交換作業が困難になることがある。
【先行技術文献】
【特許文献】
【０００５】
【特許文献１】特開２００５−９６９２２号公報
【特許文献２】特開平６−６４７１９号公報
【発明の概要】
【発明が解決しようとする課題】
【０００６】
そこで、本発明者は、このような課題の原因を究明してこのような課題を解決するべく、鋭意研究を重ねた結果、本発明に至ったのである。
【０００７】
すなわち、本発明は、無端ベルトと交換するための予備ベルトを容易に保持しておき、予備ベルトへ交換する時には、予備ベルトを容易に取り外して回転駆動軸及びローラに掛けることができ、しかも、予備ベルトを保持する位置が限定されないベルトホルダ及びベルト保持方法を提供することを目的とする。
【課題を解決するための手段】
【０００８】
本発明のベルトホルダは、平面視において互いに平行に延びる少なくとも２本のフレームと、該２本のフレームに両端部が支持され該フレームに沿って複数本配設されたローラと、前記フレームに沿って延びる回転駆動軸と、該回転駆動軸及び該ローラに掛けられ該回転駆動軸から該ローラへ回転運動を伝達する無端ベルトと、を備えた駆動ローラコンベヤに取り付けられ、該無端ベルトと交換する予備ベルトを保持するベルトホルダであり、前記フレームに取り付けられる取付部と、前記予備ベルトを、前記回転駆動軸が該予備ベルトに貫通する状態で保持する保持部と、前記取付部から前記保持部まで延びる腕部と、を備えたことを特徴とする。
【０００９】
また、本発明のベルトホルダは、前記ベルトホルダにおいて、前記保持部を複数個備え、前記フレームに取り付けた時に、該複数個の保持部が、前記回転駆動軸の周辺において、該回転駆動軸の外円周方向に沿って配置される構成であることを特徴とする。
【００１０】
また、本発明のベルトホルダは、前記ベルトホルダにおいて、前記フレームに取り付けた時に、前記複数個の保持部が、前記回転駆動軸に垂直な断面視において、該回転駆動軸の上方及び側方に配置される構成であることを特徴とする。
【００１１】
また、本発明のベルトホルダは、前記ベルトホルダにおいて、前記フレームに取り付けた時に、リング状の予備ベルトが、前記回転駆動軸の周辺において、該回転駆動軸の外円周方向に沿う方向で保持され、該予備ベルトが前記回転駆動軸に接触しない構成であることを特徴とする。
【００１２】
また、本発明のベルトホルダは、前記ベルトホルダにおいて、前記保持部が、前記予備ベルトの一部を弾性的に嵌入することにより該予備ベルトを挟持する溝から構成されたことを特徴とする。
【００１３】
また、本発明のベルトホルダは、前記ベルトホルダにおいて、前記フレームに着脱可能に取り付けられることを特徴とする。
【００１４】
本発明のベルト保持方法は、前記ベルトホルダを使用したベルト保持方法であり、前記回転駆動軸が前記予備ベルトに貫通する状態で、該予備ベルトを該ベルトホルダに取り付けることにより、該ベルトホルダが、該予備ベルトを、該回転駆動軸が該予備ベルトに貫通する状態で保持することを特徴とする。
【００１５】
また、本発明のベルト保持方法は、前記ベルト保持方法において、前記ベルトホルダが、前記ローラの両端部が前記フレームに着脱可能に支持されている前記駆動ローラコンベヤに取り付けられることを特徴とする。
【００１６】
また、本発明のベルト保持方法は、前記ベルト保持方法において、一の前記ベルトホルダが、一の前記ローラの近辺の該ローラに干渉しない位置に、一のローラに対して一個ずつ取り付けられることを特徴とする。
【発明の効果】
【００１７】
本発明のベルトホルダ及びベルト保持方法によれば、回転駆動軸が予備ベルトに貫通する状態で保持する保持部を備えることにより、予備ベルトを、ローラの近辺に、ローラ、回転駆動軸及び回転駆動軸のプーリと干渉しない状態で保持できる。このため、無端ベルトと交換するための予備ベルトを保持部によって容易に保持しておき、予備ベルトへ交換する時には、予備ベルトを容易に取り外して回転駆動軸及びローラに掛けることができる。また、予備ベルトが、回転駆動軸の周辺において、回転駆動軸の外円周方向に沿う方向で保持できる位置であれば、予備ベルトを保持する位置が特に限定されない。このため、ベルトホルダを、一のローラの近辺に、一のローラに対して一個ずつ取り付けることが可能となる。
【図面の簡単な説明】
【００１８】
【図１】本発明のベルトホルダを示す斜視図である。
【図２】図１のベルトホルダを示す正面断面図である。
【図３】図１のベルトホルダを配置した駆動ローラコンベヤを示す平面図である。
【図４】図１のベルトホルダを配置した駆動ローラコンベヤを示す側面図である。
【図５】本発明のベルトホルダの他の実施形態を示す側面図である。
【図６】本発明のベルトホルダの更に他の実施形態を示す正面断面図である。
【図７】本発明のベルトホルダの更に他の実施形態を示す正面断面図である。
【図８】従来の駆動ローラコンベヤを示す平面図である。
【図９】従来のベルト保持方法を示す斜視図である。
【発明を実施するための形態】
【００１９】
次に、本発明に係るベルトホルダ及びベルト保持方法について、図面に基づいて詳しく説明する。図１〜図４において、符号１０は本発明のベルトホルダを示す。
【００２０】
本発明のベルトホルダ１０は、平面視において互いに平行に延びる少なくとも２本のフレーム１２と、２本のフレーム１２に両端部１４が支持されフレーム１２に沿って複数本配設されたローラ１６と、フレーム１２に沿って延びる回転駆動軸１８と、回転駆動軸１８及びローラ１６に掛けられ回転駆動軸１８からローラ１６へ回転運動を伝達する無端ベルト２０と、を備えた駆動ローラコンベヤ２２に取り付けられ、無端ベルト２０と交換する予備ベルト２１を保持するベルトホルダ１０であり、フレーム１２に取り付けられる取付部２４と、予備ベルト２１を、回転駆動軸１８が予備ベルト２１に貫通する状態で保持する保持部２６（１）及び２６（２）と、取付部２４から保持部２６（１）及び２６（２）まで延びる腕部２８と、を備えている。本発明のベルト保持方法は、このベルトホルダ１０を使用した保持方法である。ベルトホルダ１０の材質は、樹脂又は金属等、特に限定されない。
【００２１】
取付部２４は、図２に示すように、フレーム１２の側面に密着する取付面３０を備え、この取付面３０から、ピン３２が突出している。ピン３２は、先端側に、中心線に沿った割れ目を有し、先端側が弾性的に開閉するように構成され、ピン３２をフレーム１２に設けられた孔３３に弾性的に圧入することにより、ベルトホルダ１０をフレーム１２に着脱可能に取り付けることができるように構成されている。ベルトホルダ１０を着脱可能に取り付けることにより、必要に応じて取り付け取り外しができる。取付部２４には、二個から成る一対のピン３２が設けられ、ピン３２に対応して、フレーム１２には、二個から成る一対の孔３３が設けられている。但し、ピン３２は、一例であり、ボルト及びナット等の他の締結具であってもよい。
【００２２】
二個の保持部２６（１）及び２６（２）は、図２に示すように、ベルトホルダ１０をフレーム１２に取り付けた時に、回転駆動軸１８の周辺において、回転駆動軸１８の外円周方向に沿って配置されるとともに、回転駆動軸１８に垂直な断面視において、回転駆動軸１８の上方に保持部２６（１）が配置され、回転駆動軸１８の右側（側方）に保持部２６（２）が配置されるように構成されている。ウレタンから成りリング状の予備ベルト２１が、回転駆動軸１８の周辺において、回転駆動軸１８の外円周方向に沿う方向で保持されることにより、予備ベルト２１は、楕円形又は円形の状態で保持されるため、回転駆動軸１８に接触せず、回転駆動軸１８に垂直な断面視において、回転駆動軸１８のプーリ１９に干渉しない。
【００２３】
また、保持部２６（１）は、予備ベルト２１の一部を弾性的に嵌入することにより予備ベルト２１を挟持する溝２７（１）から構成され、保持部２６（２）は、予備ベルト２１の一部を弾性的に嵌入することにより予備ベルト２１を挟持する溝２７（２）から構成されている。溝２７（１）及び２７（２）は、予備ベルト２１を、回転駆動軸１８の外円周方向に沿う方向で保持するように、回転駆動軸１８に垂直な断面視において、回転駆動軸１８の外円周方向に沿う方向に延びている。
【００２４】
また、腕部２８は、取付部２４から延び、保持部２６（１）及び２６（２）に向かって分岐する二股部２９を有している。二股部２９は、回転駆動軸１８の外円周方向に沿う方向で保持する予備ベルト２１が干渉しないように、湾曲状の中空部３４を設けている。
【００２５】
このような構成のベルトホルダ１０を使用して、駆動ローラコンベヤ２２の予備ベルト２１を保持する作用について、以下に説明する。以下においては、ベルトホルダ１０を、一のローラ１６の近辺のローラ１６に干渉しない位置に、一のローラ１６に対して一個ずつ取り付ける場合について説明する。なお、駆動ローラコンベヤ２２は、ローラ１６の両端部１４が、フレーム１２の軸受溝１３によって、着脱可能に支持される構成である。
【００２６】
ベルトホルダ１０は、図３及び図４に示すように、フレーム１２に複数個取り付けられる。フレーム１２には、各ローラ１６の近辺（図３及び図４における右側近辺）に孔３３が一対ずつ設けられており、各取付部２４の一対のピン３２を一対の孔３３に弾性的に圧入することにより、ベルトホルダ１０を、一のローラ１６の近辺に、一のローラ１６に対して一個ずつ取り付けることができる。なお、孔３３を各ローラ１６の近辺に、一のローラ１６に対して複数対設けることにより、各ローラ１６に対するベルトホルダ１０の位置を調節できるようにしてもよい。
【００２７】
フレーム１２に取り付けられたベルトホルダ１０には、回転駆動軸１８が予備ベルト２１に貫通する状態で、予備ベルト２１が取り付けられる。予備ベルト２１の取り付けは、回転駆動軸１８の図示しない端部を予備ベルト２１に貫通させた状態で、予備ベルト２１を各ベルトホルダ１０の近辺まで移動させ、予備ベルト２１を保持部２６（１）及び２６（２）に弾性的に嵌入させることによって行われる。このようにして、複数の予備ベルト２１が、各ベルトホルダ１０に取り付けられる。
【００２８】
ベルトホルダ１０に取り付けられた予備ベルト２１は、回転駆動軸１８の周辺において、回転駆動軸１８の外円周方向に沿う方向で保持され、回転駆動軸１８に接触せず、回転駆動軸１８に垂直な断面視において、回転駆動軸１８のプーリ１９に干渉しない。図４に示すように、予備ベルト２１は、回転駆動軸１８におけるプーリ１９の設けられていない位置Ａにおいて保持されているが、保持された予備ベルト２１は、回転駆動軸１８に垂直な断面視において、回転駆動軸１８のプーリ１９に干渉しないため、フレーム１２に取り付けるベルトホルダ１０の位置を変えて、予備ベルト２１を、回転駆動軸１８におけるプーリ１９の設けられているとともに無端ベルト２０と干渉しない位置Ｂにおいて保持することもできる。すなわち、予備ベルト２１を保持する位置は、回転駆動軸１８におけるプーリ１９の設けられていない位置Ａに限定されない。
【００２９】
このようにして、ベルトホルダ１０が、一のローラ１６の近辺に、一のローラ１６に対して一個ずつ取り付けられた状態で、駆動ローラコンベヤ２２が稼働し、搬送対象物の搬送が行われる。駆動ローラコンベヤ２２の稼働中は、各回転駆動軸１８及びローラ１６に掛けられた各無端ベルト２０が、回転駆動軸１８からローラ１６へ回転運動を伝達する。
【００３０】
各ローラ１６へ回転運動を伝達する複数の無端ベルト２０の中のいずれかが、長時間使用されたこと等の理由により損傷した時には、損傷した無端ベルト２０が掛けられていたローラ１６の近辺に取り付けられている予備ベルト２１へ交換する。
【００３１】
予備ベルト２１へ交換するには、まず、予備ベルト２１を指で摘んで斜め下へ引き抜いて保持部２６（１）及び２６（２）から取り外す。次に、取り外した予備ベルト２１をプーリ１９に掛ける。さらに、ローラ１６の端部１４付近を持ち上げて軸受溝１３から離脱させた状態で、予備ベルト２１の上部側を平面視において半回転させ、端部１４を予備ベルト２１に貫通させ、予備ベルト２１をローラ１６の溝１７に掛ける。予備ベルト２１が掛けられたローラ１６の端部１４は再び軸受溝１３に支持される。このようにして、無端ベルト２０から予備ベルト２１への交換作業が終了する。
【００３２】
このような本発明のベルトホルダ１０及びベルト保持方法によれば、無端ベルト２０と交換するための予備ベルト２１を保持部２６（１）及び２６（２）に嵌入することにより容易に保持できる。また、予備ベルト２１へ交換する時には、予備ベルト２１を保持部２６（１）及び２６（２）から引き抜いて容易に取り外すことができる。
【００３３】
また、ベルトホルダ１０に保持された予備ベルト２１は、回転駆動軸１８の周辺において、回転駆動軸１８の外円周方向に沿う方向で保持され、回転駆動軸１８に接触せず、回転駆動軸１８に垂直な断面視において、回転駆動軸１８のプーリ１９にも干渉しないため、ベルトホルダ１０が予備ベルト２１を保持する位置は、予備ベルト２１が、回転駆動軸１８の周辺において、回転駆動軸１８の外円周方向に沿う方向で保持できる位置であれば、特に限定されない。このため、ベルトホルダ１０を、一のローラ１６の近辺に、一のローラ１６に対して一個ずつ取り付けることが可能となり、無端ベルト２０を予備ベルト２１へ交換する時には、損傷した無端ベルト２０が掛けられていたローラ１６の近辺で保持されている予備ベルト２１を取り外して、容易且つ迅速に交換作業を行うことができる。さらに、回転駆動軸に予備ベルトを括り付けていた図９に示すような従来のベルト保持方法と異なり、予備ベルト２１を保持する位置から予備ベルト２１へ交換するローラ１６までの経路に位置する損傷していない無端ベルト２０は存在しないため、損傷していない無端ベルト２０を一旦取り外す必要がない。
【００３４】
以上、本発明の一実施形態について説明したが、本発明はその他の態様でも実施できる。例えば、図５に示すように、本発明のベルトホルダ１０の保持部２６（１）に保持した予備ベルト２１が外れ落ちないように、保持部２６（１）に弾性的に係合する留め金具３９を備えてもよい。
【００３５】
また、本発明のベルトホルダ１０を、図６に示すように、ベルトホルダ１０をフレーム１２に取り付けた時に、回転駆動軸１８に垂直な断面視において、回転駆動軸１８の斜め上方に保持部２６（１）及び保持部２６（２）が配置されるように構成してもよい。このような構成によっても、予備ベルト２１を、回転駆動軸１８に接触せず、回転駆動軸１８に垂直な断面視において、回転駆動軸１８のプーリ１９にも干渉しないように、回転駆動軸１８の周辺において、回転駆動軸１８の外円周方向に沿う方向で保持できる。
【００３６】
また、本発明のベルトホルダ１０は、図７に示すように、３個の保持部２６（１）、２６（２）、２６（３）を備え、保持部２６（１）及び（３）は、斜め上から予備ベルト２１を嵌入する溝２７（１）又は（３）を備え、保持部２６（２）は、上から予備ベルト２１を嵌入する溝２７（２）を備えている。斜め上又は上から予備ベルト２１を嵌入する構成であるため、予備ベルト２１が自重によって落下するのを防止できる。
【００３７】
以上、本発明の実施形態について図面に基づいて説明したが、本発明は図示したものに限定されない。例えば、保持部を二個又は三個備えることには限定されず、一個又は四個以上であってもよい。また、ベルトホルダ１０を、一のローラ１６の近辺に、一のローラ１６に対して一個ずつ取り付けることには限定されず、複数のローラ１６に対してベルトホルダ１０を一個ずつ取り付けてもよい。また、ベルトホルダ１０が保持する予備ベルト２１の数量は一本に限定されず、複数本であってもよい。
【００３８】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００３９】
本発明のベルトホルダ及びベルト保持方法によれば、予備ベルトを、ローラの近辺に、ローラ、回転駆動軸及び回転駆動軸のプーリと干渉しない状態で保持でき、無端ベルトと交換するための予備ベルトを保持部によって容易に保持しておき、予備ベルトへ交換する時には、予備ベルトを容易に取り外して回転駆動軸及びローラに掛けることができる。また、ベルトホルダを、一のローラの近辺に、一のローラに対して一個ずつ取り付けることが可能となる。このため、駆動ローラコンベヤに用いられる無端ベルトと交換する予備ベルトを保持するベルトホルダ及びベルト保持方法として広く利用できる。
【符号の説明】
【００４０】
１０：ベルトホルダ
１２：フレーム
１３：軸受溝
１４：端部
１６：ローラ
１７：溝
１８：回転駆動軸
２０：無端ベルト
２１：予備ベルト
２２：駆動ローラコンベヤ
２４：取付部
２６（１）、２６（２）、２６（３）：保持部
２７（１）、２７（２）、２７（３）：溝
２８：腕部
【図１】
2012218893.tif 000003
【図２】
2012218893.tif 000004
【図３】
2012218893.tif 000005
【図４】
2012218893.tif 000006
【図５】
2012218893.tif 000007
【図６】
2012218893.tif 000008
【図７】
2012218893.tif 000009
【図８】
2012218893.tif 000010
【図９】
2012218893.tif 000011